(57)【要約】【課題】  ディスクドライブ装置には、光ディスクのみを装填するようにしたことで、全体の小型化及びディスクドライブ装置の小型化を図ることができると共に、光ディスクが汚損することを防止することができる。【解決手段】  光ディスク６を収納すると共に収納した光ディスク６を挿脱するディスク挿脱口７がディスクドライブ装置３０への挿入端となる一側面に形成されたカートリッジ本体４と、カートリッジ本体４に収納する光ディスクを保持すると共に光ディスク６の挿脱方向に移動可能とされ、カートリッジ本体４内をディスク挿脱口７側に移動したとき、保持した光ディスク６の少なくとも一部をディスク挿脱口７から外部に臨ませるディスク保持体５と、カートリッジ本体４のディスク挿脱口７を開閉するシャッタ部材４１とを備える。【選択図】  図１
2005129133.tif 000002
【特許請求の範囲】
【請求項１】
ディスク状記録媒体を収納すると共に、収納したディスク状記録媒体を挿脱するディスク挿脱口がディスクドライブ装置への挿入端となる一側面に形成されたカートリッジ本体と、
上記カートリッジ本体に収納するディスク状記録媒体を保持すると共に、上記ディスク状記録媒体の挿脱方向に移動可能とされ、上記カートリッジ本体内を上記ディスク挿脱口側に移動したとき、保持したディスク状記録媒体の少なくとも一部を上記ディスク挿脱口から外部に臨ませるディスク保持体と、
上記カートリッジ本体のディスク挿脱口を開閉するシャッタ部材とを備えるディスクカートリッジ。
【請求項２】
上記シャッタ部材は、上記ディスクドライブ装置側のシャッタ開閉機構によって開閉操作される請求項１記載のディスクカートリッジ。
【請求項３】
上記シャッタ部材は、上記カートリッジ本体の内側に収納された状態で開閉操作される請求項１記載のディスクカートリッジ。
【発明の詳細な説明】
【技術分野】
【０００１】
本発明は、画像信号、音声信号等の情報信号を記録可能なディスク状記録媒体をカートリッジ本体内のディスク保持体で保持したディスクカートリッジに関する。
【背景技術】
【０００２】
記録媒体として普及している光ディスクの中には、コンパクトディスクやディジタルバーサタイルディスクのように光ディスク単体で取り扱われるベアディスクがある。この種の光ディスクは、ユーザが収納ケースより光ディスク単体を取り出し、取り出した光ディスクをディスクドライブ装置に装填して情報信号の記録や再生が行われる。
【０００３】
また、コンパクトディスクやディジタルバーサタイルディスクより更に高密度化が図られ、高画質の画像信号や映像信号を記録し、更に高音質の音声信号を長時間記録することができるようにした光ディスクは、トラックピッチ等も極めて狭小であり、照射される光ビームのスポット径も極めて小さく、また、光ピックアップの対物レンズとの間隔も極めて近い。したがって、光ディスクの表面に微小な傷がついたり、塵埃等が付着していると、情報信号を正確に記録し、又は、記録された情報信号を正確に読み出すことができなくなってしまう。そこで、高密度化の図れた光ディスクは、ディスクカートリッジに収納して保護された状態で用いられている。
【０００４】
一方、ディジタルビデオカメラ等のディスクドライブ装置を備えた電気機器は、携帯性を良くするため小型化が図られており、これに合わせて、ディスクドライブ装置に用いられる記録媒体も小型化する必要がある。
【０００５】
光ディスクを回転可能に収納したディスクカートリッジを記録媒体に用いるディスクドライブ装置では、ディスクカートリッジをディスクドライブ装置内に引き込む搬送機構等が必要となり、ディスクドライブ装置の小型化を図ることが困難である。また、光ディスク単体を記録媒体として用いるディスクドライブ装置であっても、光ディスクをディスクトレイ等のディスク保持体に保持させた状態でディスクドライブ装置内に搬送する場合、ディスク保持体等の搬送機構が必要となり、小型化が困難となってくる。
【０００６】
すなわち、高密度化の図られた光ディスクは、塵埃等が付着することを防止するため、ディスクカートリッジに収納して用いる必要がある一方、光ディスクを回転可能に収納したディスクカートリッジを記録媒体に用いる場合、ディスクドライブ装置は、小型化を図ることが難しくなる。ディスクドライブ装置は、光ディスク単体を、装置内に搬送する用にするものが最も小型化しやすい。
【０００７】
なお、本発明に関連する文献としては、下記特許文献１〜５がある。
【０００８】
特許文献１、特許文献２及び特許文献３のディスクカートリッジは、カートリッジ本体内にディスクを保持するディスク保持体が収納されたものであり、このディスクを保持したディスク保持体を記録再生位置に引き出して情報信号の記録や再生を行うものである。これらディスクカートリッジは、ディスクドライブ装置に装填し、更にディスク保持体を記録再生位置に引き込みディスクの記録再生をするものであるから、ベアディスクのディスクドライブ装置のようにディスクドライブ装置の小型化を図ることができない。
【０００９】
特許文献４のディスクカートリッジは、カートリッジ本体内に光ディスクを収納し、一度、ディスクカートリッジをディスクドライブ装置に装填した後、ディスクドライブ装置内に光ディスクを残しカートリッジ本体のみをディスクドライブ装置外に引き出すことが記載されている。したがって、特許文献４のディスクカートリッジも、ディスクドライブ装置にディスクカートリッジが引き込まれるものであり、ディスクドライブ装置の小型化を図ることができない。
【００１０】
特許文献５のディスクカートリッジは、光ディスクを露出させた状態で保持するものである。したがって、光ディスクには、塵埃等が付着し、更に、傷等が付くおそれもあり、高密度化の図られたディスクに適用することは困難である。また、このディスクカートリッジも、ディスクドライブ装置に装填するものであるから、ディスクドライブ装置の小型化を図ることも困難である。
【００１１】
【特許文献１】特許第３３７３０３０号公報
【特許文献２】特開２０００−２６０１５１号公報
【特許文献３】特開平６−１６８５６６号公報
【特許文献４】特開平６−１３１８４０号公報
【特許文献５】特開平７−３２０３５９号公報
【発明の開示】
【発明が解決しようとする課題】
【００１２】
本発明は、以上のような問題点に鑑みてなされたものであり、その目的は、ディスクドライブ装置には、ディスク状記録媒体のみを装填するようにしたことで、全体の小型化及びディスクドライブ装置の小型化を図ることができると共に、ディスク状記録媒体が汚損することを防止することができる新規なディスクカートリッジを提供することにある。
【００１３】
本発明の他の目的は、高密度化が図られたディスク状記録媒体をベアディスクとして取り扱うことができるディスクカートリッジを提供することにある。
【課題を解決するための手段】
【００１４】
本発明に係るディスクカートリッジは、ディスク状記録媒体を収納すると共に、収納したディスク状記録媒体を挿脱するディスク挿脱口がディスクドライブ装置への挿入端となる一側面に形成されたカートリッジ本体と、カートリッジ本体に収納するディスク状記録媒体を保持すると共に、ディスク状記録媒体の挿脱方向に移動可能とされ、カートリッジ本体内をディスク挿脱口側に移動したとき、保持したディスク状記録媒体の少なくとも一部をディスク挿脱口から外部に臨ませるディスク保持体と、カートリッジ本体のディスク挿脱口を開閉するシャッタ部材とを備える。
【発明の効果】
【００１５】
本発明によれば、ディスク保持体が、カートリッジ本体内をディスク挿脱口側に移動したとき、保持しているディスク状記録媒体の少なくとも一部をディスク挿脱口より外部に臨ませ、ディスク状記録媒体単体をディスクドライブ装置の搬送可能な状態にすることから、ディスク状記録媒体を従来のベアディスクのように取り扱うことができる。したがって、記録媒体として高密度記録されるディスク状記録媒体を用いることができると共に、ディスクドライブ装置の小型化を図ることができる。また、カートリッジ本体に形成される開口部は、ディスクドライブ装置への挿入端となる一側面に形成されたディスク挿脱口のみであり、開口部を最小限とすることで、カートリッジ本体内への塵埃等の浸入を防ぐと共に、このディスク挿脱口を開閉するシャッタ部材を備えることで、このディスク挿脱口からの塵埃等の侵入を防ぐことができる。したがって、カートリッジ本体に収納されたディスク状記録媒体が汚損することを防ぐことができる。
【発明を実施するための最良の形態】
【００１６】
以下、本発明を適用したディスクカートリッジについて図面を参照して説明する。
【００１７】
図１乃至図３に示すように、本発明を適用したディスクカートリッジ１は、上下一対のハーフ２，３を突き合わせて結合されてなるカートリッジ本体４と、記録媒体となる光ディスク６を保持すると共にカートリッジ本体４内に移動可能に収納されるディスク保持体５とを備える。
【００１８】
このディスクカートリッジ１に用いられる光ディスク６は、中央部にセンタ孔６ａが形成され、このセンタ孔６ａの周囲に内周側非信号記録領域６ｂが形成され、内周側非信号記録領域６ｂの外周側に信号記録領域６ｃが形成され、信号記録領域６ｃの外周側に外周側非信号記録領域６ｄが形成されている。この光ディスク６は、ポリカーボネート等の光透過性の合成樹脂基板に反射膜を被着し、更に、相変化材料や有機色素を用いた記録層を設け、更に、記録層上に保護層を形成し、ディスク基板側を信号記録面とし、このディスク基板側から光ビームが照射されることにより、情報信号の記録又は再生がなされる記録媒体である。なお、ディスク基板上に反射膜、記録層を設け、記録層上に光透過性のカバー層を設け、カバー層側を信号記録面とした記録媒体であってもよい。このような光ディスク６には、コンパクトディスクやディジタルバーサタイルディスクといった既存の光ディスクより更に高密度に、高画質の画像映像信号、高音質の音声信号、コンピュータで処理される処理データ、コンピュータプログラム等の各種の情報信号が記録される。なお、使用する記録媒体としては、光ディスク６の他、磁気ディスク、光磁気ディスク等であってもよい。
【００１９】
以上のような光ディスク６を保護するカートリッジ本体４を構成する上下ハーフ２，３は、機械的強度を有する合成樹脂を射出成形してなるものであって、全体が略矩形に形成されている。略矩形の上下ハーフ２，３は、ディスクドライブ装置への挿入方向と直交する方向が短辺となり、ディスクドライブ装置への挿入方向が長辺となっている。ディスクドライブ装置への挿入方向を長辺とすることで、ユーザがディスクドライブ装置への挿入方向を視認しやすくしている。なお、カートリッジ本体４の大きさは、光ディスク６が略内接する大きさの以上であればよい。
【００２０】
上下ハーフ２，３は、略矩形の主面部１１，１２の周囲に周壁１３，１４が形成されている。周壁１３，１４の内側は、ディスク保持体５及び光ディスク６の収納部となる。周壁１３，１４のディスクドライブ装置５０への挿入端となる前面壁１３ａ，１４ａには、ディスク挿脱口７を構成する凹部７ａ，７ｂが形成されている。凹部７ａ，７ｂは、上下ハーフ２，３の周壁１３，１４が突き合わされたとき、カートリッジ本体４の前面に略矩形のディスク挿脱口７を構成する。ディスク挿脱口７は、カートリッジ本体４内に塵埃等の異物が浸入することを極力少なくするため、長辺が光ディスク６の直径と略同じとなるように形成され、短辺が光ディスク６の厚みと略同じとなるように形成されている。
【００２１】
上下ハーフ２，３の周壁１３，１４を構成するディスクドライブ装置への挿入方向と平行な相対向する側壁１３ｂ，１３ｃ，１４ｂ，１４ｃは、カートリッジ本体４内をディスクドライブ装置５０への挿入方向に移動するディスク保持体５のガイド壁として機能する。また、前面壁１３ａ，１４ａは、カートリッジ本体４内を移動するディスク保持体５が前面側に移動するときのストッパ壁として機能する。また、背面壁１３ｄ，１４ｄは、ディスク保持体５が背面側に移動するときのストッパ壁として機能し、この背面壁１３ｄ，１４ｄには、ディスク保持体５が突き当てられる突部１５ａ，１５ｂが形成されている。
【００２２】
上下ハーフ２，３の一方の側壁１３ｂ，１４ｂには、前面側と背面側との間をディスク保持体５の可動範囲に亘って切り欠く凹部１６ａ，１６ｂが形成されており、上下ハーフ２，３の凹部１６ａ，１６ｂは、上下ハーフ２，３が突き合わされたとき、ディスク保持体５の移動操作部を外部に臨ませるガイド溝１６を構成する。
【００２３】
下ハーフ３の側壁１４ｂ，１４ｃの内側には、主面部１２よりも一段高くなされた一対のガイド突部１７，１８が背面側の端部から前面側の中途部に亘って突出形成されている。これら一対のガイド突部１７，１８は、その上面部が平坦化された水平面部１７ａ，１８ａを有している。一方、上ハーフ３の側壁１３ｂ，１３ｃの内側には、図４に示すように、主面部１１よりも一段高くなされた一対のガイド突部１９，２０が背面側の端部から前面側の中途部に亘って突出形成されている。これら一対のガイド突部１９，２０は、上面部が背面側の端部から前面側に向かって平坦化された水平面部１９ａ，２０ａと、この水平面部１９ａ，２０ａの前面側の端部から前面側の主面部１１に向かって傾斜した傾斜面部１９ｂ，２０ｂとを有している。
【００２４】
これらガイド突部１７，１８，１９，２０は、上下ハーフ２，３が突き合わされたとき、カートリッジ本体４内をディスクドライブ装置への挿入方向に移動するディスク保持体５を厚み方向にガイドしながら、後述する一対の弾性変位片２３ａ，２３ｂを押圧する押圧部として機能する。
【００２５】
なお、このように構成されるカートリッジ本体４は、ディスクドライブ装置内に装填されるものではなく、ディスク保持体５で保持した光ディスク６のみをディスクドライブ装置に装填するものである。したがって、カートリッジ本体４には、既存のディスクカートリッジの光ディスクを収納するカートリッジ本体のように、記録再生用の開口部や光ディスク６を回転するためのディスク回転駆動部を構成するディスクテーブルが進入する駆動開口部等は形成されておらず、形成されている開口部は、前面に形成されたディスク挿脱口７のみであり、開口部を最小限とすることで、簡単な構成で塵埃等の異物を極力浸入しにくくしている。
【００２６】
以上のようなカートリッジ本体４に収納されるディスク保持体５は、図１に示すように、長辺をカートリッジ本体４の幅と略同じくし、短辺をカートリッジ本体４の前面から背面に亘る奥行きの略半分程度に形成されている。ディスク保持体５の前面側には、光ディスク６の主面部の略半分程度の領域に対応した略半円形のディスク保持部２１が切り欠き形成されている。このディスク保持部２１の内周面には、光ディスク６の外周部が係合される溝部２２が周方向に亘って形成されている。この溝部２２は、ディスク保持部２１の内側に嵌め込まれた光ディスク６をカートリッジ本体４の背面側へと案内すると共に、ディスク保持部２１に保持された光ディスクが厚み方向に移動するのを規制する。
【００２７】
ディスク保持体５は、溝部２２の両端部に光ディスク６の外周部を厚み方向に挟み込む一対の弾性変位片２３ａ，２３ｂを有している。これら一対の弾性変位片２３ａ，２３ｂは、その間が溝部２２と連続しており、溝部２２に係合された光ディスク６の外周部を挟み込む方向に弾性変位可能とされている。また、光ディスク６の外周側非信号記録領域６ｄと当接される弾性変位片２３ｂは、溝部２２に沿って前面側から背面側に向かって枝分れした形状を有しており、対向する弾性変位片２３ａよりも弾性変位し易い形状となっている。そして、これら一対の弾性変位片２３ａ，２３ｂは、ディスク保持体５がカートリッジ本体４内を移動するのに伴って、光ディスク６を挟み込む方向に弾性変位しながら、後述する光ディスク６の保持又は開放を行うことになる。
【００２８】
また、光ディスク６のディスク保持部２１より突出した部分は、ディスク保持体５がカートリッジ本体４内をディスク挿脱口７側に移動したとき、ディスク挿脱口７よりカートリッジ本体４外に臨まされることになる。
【００２９】
このディスク保持体５のカートリッジ本体４内での移動方向と平行な一方の側面には、カートリッジ本体４のガイド溝１６より外部に臨まされる移動操作部２４が形成されている。ガイド溝１６より外部に臨まされた移動操作部２４は、例えばユーザにより操作されるものであって、ディスク保持体５をカートリッジ本体４内の背面側から前面側、又は、前面側から背面側に移動させるためのものである。
【００３０】
このディスク保持体５の背面側には、ディスク保持体５が背面側に移動したとき、ディスク保持体５とカートリッジ本体４との接触による衝撃を吸収するための緩衝手段となる一対の弾性変位片２５ａ，２５ｂが設けられている。これら一対の弾性変位片２５ａ，２５ｂは、ディスク保持体５の背面側を所定の形状に切り欠くことでディスク保持体５と一体に形成されており、その先端部がカートリッジ本体４の背面壁１３ｄ，１４ｄに設けられた突部１５と当接された状態で光ディスク６の挿脱方向に弾性変位可能となっている。
【００３１】
また、ディスク保持体５は、付勢手段である引張りコイルバネ２６によってカートリッジ本体４の背面側へと付勢されている。すなわち、この引張りコイルバネ２６は、一端２６ａがディスク保持体５に設けられた掛止突部２７に掛止されると共に、他端２５ｂが下ハーフ３に設けられた係止突部２８に掛止されることによって、ディスク保持体５をカートリッジ本体４の背面側に向かって付勢している。
【００３２】
また、ディスクカートリッジ１には、ディスク保持体５が光ディスク６をカートリッジ本体４内に収納する第１の位置にあるとき、このディスク保持体５の前面側への移動を係止するための第１のロック機構が設けられている。この第１のロック機構は、カートリッジ本体４内に移動可能に収納されるロックレバー２９と、このロックレバー２９をカートリッジ本体４の前面側へと付勢する圧縮コイルバネ３０とを有している。
【００３３】
ロックレバー２９は、長尺状の部材からなり、上下ハーフ２，３の側壁１３ｃ，１４ｃと、この内側に側壁１３ｃ，１４ｃと平行に形成されたガイド壁１３ｅ，１４ｅとの間に配置されると共に、複数のガイド壁１３ｆ，１４ｆによってカートリッジ本体４内の背面側から前面側、又は、前面側から背面側への移動がガイドされている。
【００３４】
ロックレバー２９の前端部には、カートリッジ本体４の前面に形成された孔部３１から外部に臨む操作突部３２が突出形成されている。この孔部３１より外部に臨まされた操作突部３２は、ロックレバー２９を圧縮コイルバネ３０の付勢に抗してカートリッジ本体４内の前面側から背面側に移動させるためのものである。一方、上下ハーフ２，３の前面壁１３ａ，１４ａには、孔部３１を構成する凹部３１ａ，３１ｂが形成されている。凹部３１ａ，３１ｂは、上下ハーフ２，３の周壁１３，１４が突き合わされたとき、カートリッジ本体４の前面に略円形の孔部３１を構成する。そして、この孔部３１からは、後述するディスクドライブ装置５０側のロック解除機構を構成するロック解除ピン５６が進入することになる。
【００３５】
ロックレバー２９の背面側には、ディスク保持体５を係止するための第１のロック片３３と、圧縮コイルバネ３０を保持するためのバネ受片３４とが、それぞれカートリッジ本体４の背面側に向かって延長して設けられている。
【００３６】
第１のロック片３３は、ガイド壁１３ｅ，１４ｅを切り欠く切欠き部３５ａ，３５ｂからディスク保持体５側へと折り曲げられた先端部３３ａが、ディスク保持体５の他方の側面に形成された第１の凹部３６に係合されることで、ディスク保持体５の前面側への移動を係止する。また、第１のロック片３３は、ガイド壁１３ｅ，１４ｅに形成されたガイド突部３７ａ，３７ｂと摺接される突起部３３ｂを有しており、ロックレバー２９の前面側から背面側への移動に伴って、この突起部３３ｂがガイド突部３７と摺接しながら、第１のロック片３３の先端部３３ａを第１の凹部３６との係合が解除される方向へと弾性変位させる。
【００３７】
バネ受片３４は、圧縮コイルバネ３０に挿通された状態で、その先端部に設けられた突起部３４ａが側壁１３ｃ，１４ｃに形成されたガイド突部３８と摺接されると共に、上下ハーフ２，３に形成されたガイド壁１３ｇ，１４ｇによってカートリッジ本体４内の背面側から前面側、又は、前面側から背面側への移動がガイドされている。
【００３８】
一方、圧縮コイルバネ３０は、ロックレバー２９のバネ受片３４を挿通させた状態で、このロックレバー２９の背面と上下ハーフ２，３に形成されたガイド壁１３ｇ，１４ｇとの間に圧縮された状態で保持されることによって、ロックレバー２９をカートリッジ本体４の前面側へと付勢している。
【００３９】
また、ディスクカートリッジ１には、ディスク保持体５が光ディスク６の一部を露出させる第２の位置にあるとき、このディスク保持体５の背面側への移動を係止する第２のロック機構が設けられている。
【００４０】
この第２のロック機構は、下ハーフの側壁１４ｂの前面側にディスク保持体５を係止するための第２のロック片３９を有している。この第２のロック片３９は、カートリッジ本体４の背面側に向かって延長された弾性変位片であり、その先端部に突起部３９ａを有している。一方、ディスク保持体５の一方の側面には、突起部３９が係合される第２の凹部４０が形成されている。そして、この第２のロック機構は、ディスク保持体５が光ディスク６の一部を露出させる第２の位置にあるとき、第２の凹部４０に第２のロック片３９の突起部３９ａを係合させることで、ディスク保持体５の背面側への移動を係止する。
【００４１】
また、第２のロック片３９は、カートリッジ本体４内におけるディスク保持体５の背面側から前面側、又は、前面側から背面側への移動に伴って、突起部３９ａがディスク保持体５の一方の側面と摺接しながら、第２の凹部４０と係合されるロック位置と第２の凹部４０から離脱されるアンロック位置との間で弾性変位可能となっている。
【００４２】
また、ディスクカートリッジ１には、ディスク挿脱口７からの塵埃等の侵入を防止するため、このディスク挿脱口７を開閉するシャッタ部材４１が設けられている。
【００４３】
このシャッタ部材４１は、ディスク挿脱口７を閉塞するに足る略矩形の平板部材からなり、その長手方向の両端部に設けられた一対の支軸４１ａ，４１ａが、下ハーフ３に設けられた一対の軸受部４２ａ，４２ｂに軸支されることによって、カートリッジ本体４の内側に収納された状態で、ディスク挿脱口７を閉塞する閉塞位置と、ディスク挿脱口７を開放する開放位置との間で回動可能に支持されている。
【００４４】
また、上ハーフのディスク挿脱口７の内側には、シャッタ部材４１がカートリッジ本体４の外側に向かって回動することを規制するため、このシャッタ部材４１と当接される規制突部４３が突出形成されている。
【００４５】
このシャッタ部材３９は、ロックレバー２９の一側面に形成された略円弧状のカム溝４４と係合されるカムピン４１ｂを有しており、このカムピン４１ｂがカム溝４４内を移動することで、ロックレバー２９の移動に連動しながら開閉操作される。なお、上述したディスクドライブ装置５０側のロック解除機構は、ロックレバー２９を移動操作することから、シャッタ部材３９を開閉操作するシャッタ開閉機構としても機能する。
【００４６】
また、ディスクカートリッジ１には、カートリッジ本体４にディスク保持体５を固定するための固定手段であるロック部材４５が設けられている。このロック部材４５は、ディスク保持体５に設けられた固定ピン４６が係合される凹部４５ａと、このロック部材４５を移動操作するための摘み部４５ｂとを有している。一方、上ハーフ２の主面部１１には、ロック部材４５の摘み部４５ｂを外部に臨ませるガイド孔４７と、ロック部材４５の移動をガイドするガイド壁４８とが形成されている。そして、このロック部材４５は、ガイド孔４７より外部に臨まされた摘み部４５ｂを操作することで、ガイド壁４８によってディスク保持体５の移動方向と略直交する方向にガイドされながら、凹部４５ａが固定ピン４６を係止するロック位置と、凹部４５ａが固定ピン４６に対する係止状態を解除するアンロック位置との間で移動可能となっている。また、ロック部材４５は、上ハーフ２のガイド壁４８に形成された係合凹部４９に係合される係合突部４５ｃを有しており、この係合突部４５ｃと係合凹部４９との係合よって上記ロック位置と上記アンロック位置とにそれぞれ固定することが可能となっている。
【００４７】
ところで、このディスクカートリッジ１のディスクドライブ装置５０は、図５に示すように、装置本体５１の前面に、カートリッジ本体４の前面が係合される開口部５２が形成されている。この開口部５２は、カートリッジ本体４の前面と略同じ大きさに形成されている。この開口部５２からは、カートリッジ本体４の全体が挿入されるのではなく、カートリッジ本体４の前面側が僅かに挿入できるように形成されており、カートリッジ本体４の前面を開口部５２に係合させた状態で、カートリッジ本体４内のディスク保持体５に保持されている光ディスク６をディスクドライブ装置５０内に挿入できるようになっており、また、ディスクドライブ装置５０に装填されている光ディスク６をカートリッジ本体４内のディスク保持体５に保持させることができるようになっている。すなわち、ディスクカートリッジ１とディスクドライブ装置５０との間での光ディスク６の受け渡しは、カートリッジ本体４が開口部５２に係合されカートリッジ本体４の内部と装置本体５１の内部とが連続した密閉空間で行われることになる。
【００４８】
また、装置本体５１内には、光ディスク６の記録や再生を行うための記録再生部５３が形成されている。この記録再生部５３は、光ディスク６を回転する回転駆動部５４と光ディスク６に光ビームを照射し反射した戻りの光ビームを検出する光ピックアップ５５を有する。回転駆動部５４は、光ディスク６のセンタ孔６ａに係合するディスクテーブル５４ａ等を有する。ディスクテーブル５４ａは、光ディスク６のセンタ孔６ａに係合すると、光ディスク６を一体的に回転する。また、光ピックアップ５５は、光ディスク６の信号記録領域６ｃの内外周に亘って光ビームを照射し戻りの光ビームを検出することによって、光ディスク６に対して情報信号を記録し、又は、光ディスク６に記録された情報信号の再生を行う。
【００４９】
装置本体５１の前面に設けられた開口部５２と記録再生部５３との間には、図示しないが、光ディスク６を搬送する搬送機構が設けられている。この搬送機構は、光ディスク６の外周面に当接する一対の回転ローラを有し、光ディスク６を、開口部５２と記録再生部５３との間を搬送する。なお、搬送機構としては、その他、光ディスク６の外周側非信号記録領域６ｄを挟み込んで開口部５２と記録再生部５３との間を搬送するようにしてもよい。
【００５０】
次に、ディスクカートリッジ１に収納した光ディスク６をディスクドライブ装置５０の記録再生部５３に搬送するまでの動作について説明する。
【００５１】
ディスクカートリッジ１は、図６及び図７に示すように、光ディスク６を収納した非使用時において、ディスク保持体５がカートリッジ本体４の背面側に、すなわち図６及び図７中反矢印Ｄ方向に移動した第１の位置にあり、光ディスク６をカートリッジ本体４内に完全に収納し、光ディスク６が汚損することを防止している。また、カートリッジ本体４内に収納されたディスク保持体５の移動操作部２４は、ガイド溝１６の背面側に位置している。これにより、ユーザは、内部に光ディスク６が収納されたことを視認することができる。
【００５２】
また、ディスク保持体５は、カートリッジ本体４の背面側に位置するとき、一対の弾性変位部２３ａ，２３ｂによって光ディスク６の外周部を厚み方向に挟み込みながら、この光ディスク６をディスク保持部２１に保持している。具体的に、一対の弾性変位片２３ａ，２３ｂは、図１６に示すように、上ハーフ２側ガイド突部１９，２０の水平面部１９ａ，２０ａと下ハーフ３側ガイド突部１７，１８の水平面部１７ａ，１８ａとの間で押圧されながら、互いに近接する方向に弾性変位し、光ディスク６の外周部を厚み方向に挟み込む。これにより、光ディスク６をディスク保持部２１に強固に保持することができる。
【００５３】
また、ロックレバー２９は、圧縮コイルバネ３０の付勢によりカートリッジ本体４内の前面側に位置しており、第１のロック片３３の先端部３３ａがディスク保持体５の第１の凹部３６に係合されることによって、ディスク保持体５の前面側への移動を係止している。また、シャッタ部材４１は、図１４に示すように、ロックレバー２９がカートリッジ本体４内の前面側に位置することによって、ディスク挿脱口７を閉塞しており、このディスク挿脱口７からカートリッジ本体４内に塵埃等が侵入することを防止している。
【００５４】
ここで、ロック部材４５は、図６，図７及び図１２に示すように、凹部４５ａが固定ピン４６を係止するロック位置にあることによって、ディスク保持体５をカートリッジ本体４の第１の位置に固定する。これにより、外部からの衝撃等によるディスク保持体５のガタツキの発生を防ぎ、カートリッジ本体４に収納された光ディスク６を保護することができる。さらに、このディスク保持体５の背面側に設けられた一対の弾性変位片２５ａ，２５ｂがカートリッジ本体４との接触による衝撃を吸収することから、外部から強い衝撃等が加わった場合でも、カートリッジ本体４内に収納された光ディスク５及びディスク保持体５の損傷等の発生を防ぐことができる。
【００５５】
このディスクカートリッジ１からディスクドライブ装置５０へと光ディスク６を装填する際は、先ず、図８，図９及び図１３に示すように、ガイド孔４７より外部に臨まされた摘み部４５ｂを操作することによって、ロック部材４５をロック位置からアンロック位置へと移動する。これにより、凹部４５ａの固定ピン４６に対する係止状態が解除される。
【００５６】
そして、ディスクカートリッジ１は、図５に示すように、カートリッジ本体４の前面を挿入端として、ディスクドライブ装置５０の開口部５２に係合される。すなわち、カートリッジ本体４のディスク挿脱口７がディスクドライブ装置５０の開口部５２に接続される。
【００５７】
このとき、カートリッジ本体４の孔部３１から進入したディスクドライブ装置５０側のロック解除ピン５６がロックレバー２９の操作突部３２を押圧することによって、ロックレバー２９がカートリッジ本体４内を圧縮コイルバネ３０に付勢に抗して背面側へと移動される。すると、第１のロック片３３の先端部３３ａとディスク保持体５の第１の凹部３６との係合状態が解除される。また、シャッタ部材４１は、図１５に示すように、ロックレバー２９の背面側の移動に連動しながらディスク挿脱口７を開放する。
【００５８】
そして、ガイド溝１６のカートリッジ本体４の背面側に位置しているディスク保持体５の移動操作部２４が光ディスク６の挿入方向である図５中矢印Ｄ方向にスライドされると、ディスク保持体５は、図１０及び図１１に示すように、側壁１３ｂ，１３ｃ，１４ｂ，１４ｄにガイドされながら、引張りコイルバネ２６の付勢に抗して第１の位置から第２の位置へと移動する。
【００５９】
このとき、ディスク保持体５に保持されている光ディスク６の一部、例えば半分程度の領域は、ディスク挿脱口７よりカートリッジ本体４外に露出し、装置本体５１の開口部５２内に進入する。なお、光ディスク６のディスク挿脱口７からの突出量Ａは、ディスクドライブ装置５０側の搬送機構が光ディスク６を搬送できる以上とされる。
【００６０】
また、ディスク保持体５がカートリッジ本体４内を第１の位置から第２の位置へと移動すると、図１７に示すように、一対の弾性変位片２３ａ，２３ｂに対する押圧が解除され、一対の弾性変位片２３ａ，２３ｂが互いに離間する方向に弾性復帰する。これにより、ディスク保持部２１に保持された光ディスク６のディスク挿脱口７側への移動が容易となる。
【００６１】
また、ディスク保持体５は、図１０及び図１１に示すように、第２の凹部４０に第２のロック片３９の突起部３９ａが係合されることによって、背面側への移動が係止され、第２の位置に保持された状態となる。
【００６２】
そして、カートリッジ本体４外に臨まされた光ディスク６は、図１８に示すように、ディスクドライブ装置５０側の搬送機構によって装置本体５１内の記録再生部５３まで搬送される。カートリッジ本体４内からディスクドライブ装置５０の記録再生部５３に搬送されるとき、ディスク挿脱口７が形成されたカートリッジ本体４の前面は装置本体５１の開口部５２に係合されカートリッジ本体４の内部と装置本体５１の内部とが連続した密閉空間部が構成されていることから、光ディスク６が汚損されることを防止することができる。
【００６３】
そして、光ディスク６は、記録再生部５３のディスクテーブル５４ａに装着され、ディスクテーブルと一体的に回転され、光ピックアップ５５より出射された光ビームが光ディスク６の信号記録領域６ｃの内外周に亘って照射され反射された戻りも光ビームが光ピックアップに検出されることによって、光ディスク６に対する情報信号の書き込みや光ディスク６に記録された情報信号の読み出しが行われることになる。このように、光ディスク６の記録や再生が行われるとき、光ディスク６は、単体で記録再生部５３に搬送され、従来のコンパクトディスクやディジタルバーサタイルディスクのようにベアディスクとして取り扱われる。
【００６４】
なお、光ディスク６がディスクドライブ装置５０に装填されているとき、光ディスク６が空となったカートリッジ本体４は、開口部５２に係合された状態であってもよく、また、開口部５２より取り外されてもよい。開口部５２から取り外されたときであっても、ディスクカートリッジ１のディスク保持体５は、カートリッジ本体４の前面側に保持されるようにしておくことで、移動操作部２４は、ガイド溝１６の前面側に位置し続けることになり、ユーザは、この移動操作部２４の位置を視認することによって、カートリッジ本体４内に光ディスク６があるかないかを判断することができる。
【００６５】
ディスクドライブ装置５０から記録や再生の終了した光ディスク６を取り出すとき、先ず、図１８に示すように、カートリッジ本体４の前面が装置本体５１の開口部５２に係合され、開口部５２とディスク挿脱口７とが連続した状態にされる。
【００６６】
そして、記録再生部５３にある光ディスク６は、搬送機構によって、記録再生部５３から開口部５２まで搬送され、開口部５２まで搬送された光ディスク６は、カートリッジ本体４のディスク挿脱口７よりカートリッジ本体４内に進入し、更に、カートリッジ本体４の前面側に位置しているディスク保持体５に保持される。
【００６７】
そして、ユーザによって、カートリッジ本体４のガイド溝１６より外部に臨まされている移動操作部２４がカートリッジ本体４の前面側から背面側に移動されると、ディスク保持体５の第２の凹部４０と第２のロック片３９の突起部３９ａとの係合状態が強制的に解除されると共に、引張りコイルバネ２６に付勢されたディスク保持体５が光ディスク６と一体に図１１中反矢印Ｄ方向に移動される。
【００６８】
これにより、ディスク保持体５に保持された光ディスク６は、カートリッジ本体４内に完全に収納された状態となる。また、ディスク保持体５は、再びカートリッジ本体４の背面側に位置することによって、一対の弾性変位部２３ａ，２３ｂが光ディスク６の外周部を厚み方向に挟み込むことになる。これにより、ディスク保持部２１が強固に保持された状態となる。
【００６９】
そして、ディスクカートリッジ１は、ディスクドライブ装置５０の開口部５２より取り外されると、図８及び図９に示すように、ディスクドライブ装置５０側のロック解除ピン５６による操作突部３２への押圧が解除されることによって、ロックレバー２９がカートリッジ本体４内を圧縮コイルバネ３０に付勢されて前面側へと移動する。すると、再び第１のロック片３３の先端部３３ａがディスク保持体５の第１の凹部３６に係合され、ディスク保持体５の前面側への移動が係止される。また、シャッタ部材４１は、図１４に示すように、ロックレバー２９の前面側の移動に連動しながらディスク挿脱口７を閉塞する。
【００７０】
そして、図６，図７及び図１２に示すように、ガイド孔４７より外部に臨まされた摘み部４５ｂを操作することによって、ロック部材４５をアンロック位置からロック位置へと移動する。これにより、凹部４５ａが固定ピン４６を係止した状態となり、再びディスク保持体５がカートリッジ本体４の第１の位置に固定され、再び非使用時の状態へと戻ることになる。
【００７１】
以上のように構成されたディスクカートリッジ１では、ディスクドライブ装置５０へは光ディスク６のみを挿入し、カートリッジ本体４やディスク保持体５を挿入するものではないことから、ディスクドライブ装置５０の小型化をすることができる。また、ディスクドライブ装置５０との間で光ディスク６の受け渡しは、ディスクドライブ装置５０の開口部５２にカートリッジ本体４の前面側を係合し、開口部５２とディスク挿脱口７とが接続されカートリッジ本体４の内部と装置本体５１の内部とが連続した密閉空間を形成した後に行うことから、光ディスク６が汚損することを防止することができる。
【００７２】
さらに、このディスクカートリッジ１では、カートリッジ本体４に形成される開口部を最小限とし、ディスク挿脱口７を開閉するシャッタ部材４１を備えることで、カートリッジ本体４内への塵埃等の浸入を防ぐことができ、このカートリッジ本体４に収納された光ディスク６が汚損することを防ぐことができる。
【００７３】
また、このディスクカートリッジ１では、ディスク保持部２１に保持された光ディスク６の外周部を一対の弾性変位部２３ａ，２３ｂが厚み方向に挟み込むことで、外部からの衝撃や振動等を受けた場合であっても、このディスク保持体５に保持された光ディスク６のガタツキの発生を防ぐことができ、カートリッジ本体４内に収納された光ディスク６が傷付いたりすることを防ぐことができる。
【００７４】
また、このディスクカートリッジ１では、ディスク保持体５が光ディスク６をカートリッジ本体４内に収納する第１の位置にあるとき、第１のロック機構がディスク保持体５のディスク挿脱口７側への移動を係止することで、外部から衝撃等が加わった場合でも、誤ってディスク保持体５がディスク挿脱口７側に移動するのを防ぐことができ、光ディスク６をカートリッジ本体４内に安定的に保持することできる。
【００７５】
また、このディスクカートリッジ１では、ロック部材４５がディスク保持体５をカートリッジ本体４の第１の位置に固定することで、外部からの衝撃等によるディスク保持体５のガタツキの発生を防ぎ、カートリッジ本体４に収納された光ディスク６を保護することができる。
【００７６】
また、このディスクカートリッジ１では、ディスク保持体５の背面側に設けられた一対の弾性変位片２５ａ，２５ｂがカートリッジ本体４との接触による衝撃を吸収することから、外部から衝撃等が加わった場合でも、カートリッジ本体４内に収納された光ディスク６及びディスク保持体５の損傷等の発生を防ぐことができる。
【００７７】
なお、ディスクカートリッジ１では、このような弾性変位片２５ａ，２５ｂをカートリッジ本体４とディスク保持体５との互いに対向するディスク挿脱口７とは反対側の側面部のうち、少なくとも一方に設けることによって、カートリッジ本体４とディスク保持体５との接触による衝撃を吸収することが可能である。また、ディスクカートリッジ１では、カートリッジ本体４とディスク保持体５との接触による衝撃を吸収するための弾性変位部として、例えばコイルバネや板バネ、ゴム等の弾性体を別個に設けた構成であってもよい。
【図面の簡単な説明】
【００７８】
【図１】本発明を適用したディスクカートリッジの分解斜視図である。
【図２】上記ディスクカートリッジの斜視図である。
【図３】ディスクカートリッジより光ディスクが突出した状態で示す斜視図である。
【図４】上ハーフを内側から見た斜視図である。
【図５】ディスクカートリッジをディスクドライブ装置の開口部に係合させた状態を示す斜視図である。
【図６】ディスク保持体が光ディスクを収納する位置にあり且つロック状態にある上ハーフを除いたディスクカートリッジの斜視図である。
【図７】ディスク保持体が光ディスクを収納する位置にあり且つロック状態にある上ハーフを除いたディスクカートリッジの平面図である。
【図８】ディスク保持体が光ディスクを収納する位置にあり且つロック解除状態にある上ハーフを除いたディスクカートリッジの斜視図である。
【図９】ディスク保持体が光ディスクを収納する位置にあり且つロック解除状態ある上ハーフを除いたディスクカートリッジの平面図である。
【図１０】ディスク保持体が光ディスクの一部を露出させる位置にある上ハーフを除いたディスクカートリッジの斜視図である。
【図１１】ディスク保持体が光ディスクの一部を露出させる位置にある上ハーフを除いたディスクカートリッジの平面図である。
【図１２】ロック部材が上ハーフのロック位置にある状態を説明する平面図である。
【図１３】ロック部材が上ハーフのロック解除位置にある状態を説明する平面図である。
【図１４】シャッタ部材が閉塞位置にある状態を説明する要部断面図である。
【図１５】シャッタ部材が開放位置にある状態を説明する要部断面図である。
【図１６】図９中線分Ｘ１−Ｘ１’による断面図である。
【図１７】図１１中線分Ｘ２−Ｘ２’による断面図である。
【図１８】光ディスクを搬送する状態を説明する斜視図である。
【符号の説明】
【００７９】
１  ディスクカートリッジ、２  上ハーフ、３  下ハーフ、４  カートリッジ本体、５  ディスク保持体、６  光ディスク、７  ディスク挿脱口、２１  ディスク保持部、２４  移動操作部、２６  引張りコイルバネ、２９  ロックレバー、３０  圧縮コイルバネ、４１  シャッタ部材、４５  ロック部材、５０  ディスクドライブ装置、５２  開口部、５６  ロック解除ピン
【図１】
2005129133.tif 000003
【図２】
2005129133.tif 000004
【図３】
2005129133.tif 000005
【図４】
2005129133.tif 000006
【図５】
2005129133.tif 000007
【図６】
2005129133.tif 000008
【図７】
2005129133.tif 000009
【図８】
2005129133.tif 000010
【図９】
2005129133.tif 000011
【図１０】
2005129133.tif 000012
【図１１】
2005129133.tif 000013
【図１２】
2005129133.tif 000014
【図１３】
2005129133.tif 000015
【図１４】
2005129133.tif 000016
【図１５】
2005129133.tif 000017
【図１６】
2005129133.tif 000018
【図１７】
2005129133.tif 000019
【図１８】
2005129133.tif 000020